(57)【要約】【課題】  異なる排出方法がある場合に、各排出方法を容易に行う。【解決手段】  パチンコ機に設けられる下部扉の内部に球抜き装置を設ける。下部扉の開口５ａから露呈する操作部材３８の操作部３８ａを、第１位置から第２位置に向けてスライド操作により、連動部材３９が連動する。連動部材３９がスライドすると、その押圧部３９ａが第１遮蔽部材３６の突出片３６ｄを押圧する。これにより、第１遮蔽部材３６が回動して第１開口２５を開口し、供給皿２０に受容された遊技球が第１開口２５を介して排出される。さらに、操作部３８ａを第３位置までスライド操作すると、連動部材３９の押圧片３９ｂによって第２遮蔽部材３７のピン３７ｆが押圧され、第２遮蔽部材３７が回動する。これにより、第２開口３１が開口し、誘導通路３０の内部にある遊技球が排出される。【選択図】        図１５
2005034591.tif 000002
【特許請求の範囲】
【請求項１】
遊技に用いられる遊技媒体を受容するとともに、前記遊技媒体を受容する受容面に第１開口が設けられた受け部と、
前記受け部に受容された遊技媒体を発射装置に誘導するとともに、下流側の底面に第２開口が設けられた誘導通路と、
前記第１開口及び第２開口のそれぞれに連なって設けられ、遊技媒体を外部に排出する排出通路とを備えるとともに、
前記第１開口を開閉する第１の遮蔽部材と、
前記第２開口を開閉する第２の遮蔽部材と、
前記第１開口及び第２開口のそれぞれを閉じる第１位置、前記第１開口を開ける第２位置、前記第１開口及び第２開口のそれぞれを開ける第３位置のいずれかの位置に選択的に操作される操作部とを有し、
前記操作部を前記第１位置へ操作したときには、前記第１の遮蔽部材による前記第１開口の遮蔽、及び前記第２の遮蔽部材による前記第２開口の遮蔽を行い、
前記操作部を前記第２位置へ操作したときには、前記第１の遮蔽部材を移動させて前記第１開口を開け、
前記操作部を前記第３位置へ操作したときには、前記第１の遮蔽部材を移動させて前記第１開口を開けるとともに、前記第２の遮蔽部材を移動させて前記第２開口を開けるように動作する遊技媒体抜出し装置を設けたことを特徴とする遊技機。
【請求項２】
前記第２位置は、前記第１位置と、前記第３位置との間の位置に設けられることを特徴とする請求項１記載の遊技機。
【請求項３】
前記第１の遮蔽部材及び第２の遮蔽部材を回動自在に設けるとともに、前記操作部の操作に連動して前記第１の遮蔽部材及び前記第２の遮蔽部材を回動させるアーム部材を設け、
前記操作部を第２位置に向けて操作した時に、前記アーム部材の一方の端部が、前記第１の遮蔽部材に設けられた突出部を押圧し、前記第１の遮蔽部材を回動させ、
前記操作部を第２位置から第３位置に向けて操作した時に、前記アーム部材の一方の端部が前記突出部を押圧して前記第１の遮蔽部材を回動させる他に、前記アーム部の他方の端部が前記第２の遮蔽部材に設けられた突起部と押圧し、前記第２の遮蔽部材を回動させることを特徴とする請求項２記載の遊技機。
【請求項４】
前記第１の遮蔽部材及び第２の遮蔽部材をそれぞれ回動自在に軸支し、
前記第１の遮蔽部材に突出部を設け、
前記第２の遮蔽部材に突起部を設け、
前記操作部の前記第２位置及び第３位置への移動に連動するとともに、一方の端部に前記突出部を押圧する第１の押圧部を、他方の端部に前記突起部を押圧する第２の押圧部を備えたアーム部材を設け、
前記アーム部材を、前記第１位置に位置した際に、前記第１の押圧部を前記第１の遮蔽部材に設けられた突出部と当接させ、且つ前記第２の押圧部を前記突起部に対して所定の隙間を有するように配置したことを特徴とする請求項２記載の遊技機。
【請求項５】
前記第１の遮蔽部材及び第２の遮蔽部材をそれぞれ回動自在に軸支し、
前記第１の遮蔽部材に突出部を設け、
前記第２の遮蔽部材に突起部を設け、
前記操作部の前記第２位置及び第３位置への移動に連動するとともに、一方の端部に前記突出部を押圧する第１の押圧部を、他方の端部に前記突起部と係合する第２の押圧部を備えたアーム部材を設け、
前記アーム部材を、前記第１位置に位置した際に、前記第１の押圧部を前記第１の遮蔽部材に設けられた突出部に対して第１の隙間を空けて、且つ前記第２の押圧部を突起部に対して第１の隙間よりも広い第２の隙間を有するように配置したことを特徴とする請求項２記載の遊技機。
【請求項６】
前記第１の遮蔽部材は、第１のバネ部材によって前記第１開口を閉じる方向に付勢され、前記第２の遮蔽部材は、第２のバネ部材によって前記第２開口を閉じる方向に付勢されることを特徴とする請求項１〜５いずれか記載の遊技機。
【請求項７】
前記第２のバネ部材のバネ定数は、前記第１のバネ部材のバネ定数よりも大きく設定されていることを特徴とする請求項６記載の遊技機。
【請求項８】
前記操作部は、前記受け部に設けられた開口を介して露呈されており、前記開口の周縁には、前記第２位置を示す突設片が設けられていることを特徴とする請求項１〜７いずれか記載の遊技機。
【請求項９】
前記突設片は、前記開口の周縁に、且つ前記第２位置から第３位置の範囲にかけて設けられていることを特徴とする請求項８記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、遊技媒体となるパチンコ球を受容する受け皿が設けられている。この受け皿には、パチンコ機内部に組み込まれた発射装置へとパチンコ球を導く通路が設けられており、受け皿に受容されたパチンコ球は、この通路を介して自動的に発射装置へと誘導される。なお、発射装置へと誘導されたパチンコ球は、遊技者による操作ハンドルの操作により作動する発射装置によって遊技領域の上方へと打ち出された後に、遊技領域に設けられた障害釘によって弾かれながら遊技領域内を流下していく。そして、遊技領域に設けられた通常入賞口や、始動入賞口等に入賞した場合に、遊技者に対する賞球の払い出しが受け皿に行われる。
【０００３】
例えば始動入賞口に入賞すると、「大当たり」状態へ移行するか否かの抽選が行われ、この抽選に当選すると「大当たり」状態へと移行するようになっている。この「大当たり」状態では、通常では閉じているアタッカが開き、所定個数のパチンコ球が入賞するか所定時間経過すると一端閉じるという動作を所定回数行うので、より多くの入賞を得ることができるようになる。このため、「大当たり」状態に移行すると、多くの賞球の払い出しが行われ、受け皿に数多くのパチンコ球が受容されることになる。
【０００４】
このようなパチンコ機の中には、１つの受け皿を備えたパチンコ機が提供されている。このようなパチンコ機の場合、受け皿に受容されたパチンコ球を外部の貯留箱へと排出する場合、発射装置へ導く通路内に開口を設けることが考えられる。この場合、上記開口を通路内に設ける他に、この開口を遮蔽する遮蔽部材と、この遮蔽部材を閉じ位置と開き位置との間で移動させる操作部材を設ける必要がある。なお、遊技を行って終了したときには、操作部材を操作することで上記通路内のパチンコ球及び受け皿に受容されたパチンコ球を外部の貯留箱へと排出することができ便利である。しかしながら、受け皿にパチンコ球が一杯になり、外部の貯留箱へパチンコ球を排出する場合には、発射装置へ導かれるパチンコ球がなくなるため、例えば「大当たり」状態の場合には、「大当たり」状態にも関わらず、遊技を中断せざるを得ないという問題があり、入賞を得る機会を失いことになり、遊技者の意欲を低減させるものとなる。
【０００５】
このような問題を解決するため、通路内に設けられた開口（第２開口）の他に、受け皿の底面に開口（第１開口）を設けたパチンコ機が提供されている。このパチンコ機では、上記開口のそれぞれを遮蔽する遮蔽部材が設けられる他に、受け皿の外部に２つの操作部材が設けられている。例えば一方の操作部材を操作すると、第１開口を遮蔽する第１遮蔽部材が第１開口から退避して、受け皿に受容されたパチンコ球を排出する。また、他方の操作部材を操作すると、第１開口を遮蔽する第１遮蔽部材と、第２開口を遮蔽する第２遮蔽部材とが、それぞれの開口から退避して、通路内にあるパチンコ球及び受け皿に受容されたパチンコ球のそれぞれが排出される。これにより、遊技を行っている間に受け皿に受容されたパチンコ球が一杯になっても、遊技を中断せずに外部に設けられた貯留箱へ排出することが可能となる。
【発明の開示】
【発明が解決しようとする課題】
【０００６】
しかしながら、２つの操作部材を設けた場合、これら操作部材の機能が分かりにくいため、例えば受け皿に受容されたパチンコ球を排出したい場合に、パチンコ球を通路内からも排出してしまう等の、遊技者が意図しないパチンコ球の排出を行ってしまうという問題がある。このため、操作部材の近傍に操作部材の機能を表示したとしても、受け皿や操作部材がパチンコ機の下方に設けられており、遊技者はその表示が見づらいという問題もある。
【０００７】
本発明は、異なる排出方法がある場合に、各排出方法を容易に行うことができるようにした遊技機を提供することを目的とする。
【課題を解決するための手段】
【０００８】
本発明の遊技機は、遊技に用いられる遊技媒体を受容するとともに、前記遊技媒体を受容する受容面に第１開口が設けられた受け部と、前記受け部に受容された遊技媒体を発射装置に誘導するとともに、下流側の底面に第２開口が設けられた誘導通路と、前記第１開口及び第２開口のそれぞれに連なって設けられ、遊技媒体を外部に排出する排出通路とを備えるとともに、前記第１開口を開閉する第１の遮蔽部材と、前記第２開口を開閉する第２の遮蔽部材と、前記第１開口及び第２開口のそれぞれを閉じる第１位置、前記第１開口を開ける第２位置、前記第１開口及び第２開口のそれぞれを開ける第３位置のいずれかの位置に選択的に操作される操作部とを有し、前記操作部を前記第１位置へ操作したときには、前記第１の遮蔽部材が前記第１開口を閉じ、且つ、前記第２の遮蔽部材が前記第２開口を閉じ、前記操作部を前記第２位置へ操作したときに、前記第１の遮蔽部材が前記第１開口を開け、前記操作部を前記第３位置へ操作したときには、前記第１の遮蔽部材が前記第１開口を開け、且つ、前記第２の遮蔽部材が前記第２開口を開けるように動作する遊技媒体抜出し装置を設けたことを特徴とする。なお、遊技媒体とは、例えば遊技球等が挙げられる。また、遊技機がパチンコ機からなる場合には、受け部とは、例えば遊技球が供給される供給皿等が挙げられる。
【０００９】
また、前記第２位置は、前記第１位置と、前記第３位置との間の位置に設けられることが好ましい。この場合、前記第１の遮蔽部材及び第２の遮蔽部材を回動自在に設けるとともに、前記操作部の操作に連動して前記第１の遮蔽部材及び前記第２の遮蔽部材を移動させるアーム部材を設け、前記アーム部材は、前記操作部を第２位置及び第３位置に向けて操作した時に、前記第１の遮蔽部材に設けられた突出部を押圧し、第１の遮蔽部材を回動させる押圧部と、前記操作部を第３位置に向けて操作した時に、前記第２の遮蔽部材に設けられた突起部と係合し、前記第２の遮蔽部材を回動させる係合部と、を備えていることが好ましい。
【００１０】
また、前記第１の遮蔽部材及び第２の遮蔽部材をそれぞれ回動自在に軸支し、前記第１の遮蔽部材に突出部を設け、前記第２の遮蔽部材に突起部を設け、前記操作部の前記第２位置及び第３位置への移動に連動するとともに、一方の端部に前記突出部を押圧する第１の押圧部を、他方の端部に前記突起部を押圧する第２の押圧部を備えたアーム部材を設け、前記アーム部材を、前記第１位置に位置した際に、前記第１の押圧部を前記第１の遮蔽部材に設けられた突出部と当接させ、且つ前記第２の押圧部を前記突起部に対して所定の隙間を有するように配置したことが好ましい。なお、所定の隙間とは、所謂遊びのことであり、第１位置と第２位置との間の距離よりも長く、第１位置から第３位置までの間隔よりも短い間隔を有する隙間である。
【００１１】
また、前記第１の遮蔽部材及び第２の遮蔽部材をそれぞれ回動自在に軸支し、前記第１の遮蔽部材に突出部を設け、前記第２の遮蔽部材に突起部を設け、前記操作部の前記第２位置及び第３位置への移動に連動するとともに、一方の端部に前記突出部を押圧する第１の押圧部を、他方の端部に前記突起部と係合する第２の押圧部を備えたアーム部材を設け、前記アーム部材を、前記第１位置に位置した際に、前記第１の押圧部を前記第１の遮蔽部材に設けられた突出部に対して第１の隙間を空けて、且つ前記第２の押圧部を突起部に対して第１の隙間よりも広い第２の隙間を有するように配置したことが好ましい。なお、第１の隙間とは、第１位置から第２位置までの間隔よりも短い間隔を有する隙間のことである。また、第２の隙間とは、第１位置と第２位置との間の距離よりも長く、第１位置から第３位置までの間隔よりも短い間隔を有する隙間である。
【００１２】
また、前記第１の遮蔽部材は、第１のバネ部材によって前記第１開口を閉じる方向に付勢され、前記第２の遮蔽部材は、第２のバネ部材によって前記第２開口を閉じる方向に付勢されることが好ましい。また、前記第２のバネ部材のバネ定数は、前記第１のバネ部材のバネ定数よりも大きいことが好ましい。
【００１３】
また、前記操作部は、前記受け部に設けられた開口を介して露呈されており、前記開口の周縁には、前記第２位置を示す突設片が設けられていることが好ましい。また、前記突設片は、前記開口の周縁に、且つ前記第２位置から第３位置の範囲にかけて設けられていることが好ましい。
【発明の効果】
【００１４】
本発明の遊技機によれば、遊技に用いられる遊技媒体を受容するとともに、前記遊技媒体を受容する受容面に第１開口が設けられた受け部と、前記受け部に受容された遊技媒体を発射装置に誘導するとともに、下流側の底面に第２開口が設けられた誘導通路と、前記第１開口及び第２開口のそれぞれに連なって設けられ、遊技媒体を外部に排出する排出通路とを備えるとともに、前記第１開口を開閉する第１の遮蔽部材と、前記第２開口を開閉する第２の遮蔽部材と、前記第１開口及び第２開口のそれぞれを閉じる第１位置、前記第１開口を開ける第２位置、前記第１開口及び第２開口のそれぞれを開ける第３位置のいずれかの位置に選択的に操作される操作部とを有し、前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技媒体抜出し装置を設けたから、誤った遊技媒体の抜き出し処理を防止することができるとともに、部品点数を減らすことができる。
【００１５】
また、前記第２位置は、前記第１位置と、前記第３位置との間の位置に設けられるから、第１開口及び第２開口が閉じた状態から段階的にそれぞれの開口を開けることができ、遊技媒体の際に便利である。
【００１６】
また、前記第１の遮蔽部材及び第２の遮蔽部材を回動自在に設けるとともに、前記操作部の操作に連動して前記第１の遮蔽部材及び前記第２の遮蔽部材を回動させるアーム部材を設け、前記操作部を第２位置に向けて操作した時に、前記アーム部材の一方の端部が、前記第１の遮蔽部材に設けられた突出部を押圧し、前記第１の遮蔽部材を回動させ、前記操作部を第２位置から第３位置に向けて操作した時に、前記アーム部材の一方の端部が前記突出部を押圧して前記第１の遮蔽部材を回動させる他に、前記アーム部の他方の端部が前記第２の遮蔽部材に設けられた突起部と係合し、前記第２の遮蔽部材を回動させるから、操作に応じて上記第１開口のみの開口、或いは第１開口及び第２開口の開口を選択的に行うことができる。
【００１７】
また、前記第１の遮蔽部材及び第２の遮蔽部材をそれぞれ回動自在に軸支し、前記第１の遮蔽部材に突出部を設け、前記第２の遮蔽部材に突起部を設け、前記操作部の前記第２位置及び第３位置への移動に連動するとともに、一方の端部に前記突出部を押圧する第１の押圧部を、他方の端部に前記突起部を押圧する第２の押圧部を備えたアーム部材を設け、前記アーム部材を、前記第１位置に位置した際に、前記第１の押圧部を前記第１の遮蔽部材に設けられた突出部と当接させ、且つ前記第２の押圧部を前記突起部に対して所定の隙間を有するように配置したから、操作部の操作時における誤作動を防止できる。
【００１８】
また、前記第１の遮蔽部材及び第２の遮蔽部材をそれぞれ回動自在に軸支し、前記第１の遮蔽部材に突出部を設け、前記第２の遮蔽部材に突起部を設け、前記操作部の前記第２位置及び第３位置への移動に連動するとともに、一方の端部に前記突出部を押圧する第１の押圧部を、他方の端部に前記突起部と係合する第２の押圧部を備えたアーム部材を設け、前記アーム部材を、前記第１位置に位置した際に、前記第１の押圧部を前記第１の遮蔽部材に設けられた突出部に対して第１の隙間を空けて、且つ前記第２の押圧部を突起部に対して第１の隙間よりも広い第２の隙間を有するように配置したから操作部の操作時における誤作動を防止できる。
【００１９】
また、前記第１の遮蔽部材は、第１のバネ部材によって前記第１開口を閉じる方向に付勢され、前記第２の遮蔽部材は、第２のバネ部材によって前記第２開口を閉じる方向に付勢されるから、遊技中は、第１開口及び第２開口はそれぞれ閉じた状態となり、遊技媒体の排出が行われないようになる。
【００２０】
また、前記第２のバネ部材のバネ定数は、前記第１のバネ部材のバネ定数よりも大きいから、操作部を操作する際に、第２位置までの力加減と、第３位置までの力加減とが異なるから、第２位置及び第３位置までの境目が把握でき、遊技者が操作部を操作する際に、第１位置から第３位置まで誤って一気にスライド操作することを防止できる。
【００２１】
また、前記操作部は、前記受け部に設けられた開口を介して露呈されており、前記開口の周縁には、前記第２位置を示す突設片が設けられているので、遊技者が遊技媒体の排出を行う際に、操作部を操作した場合に、第２位置を確実に認識させることができるとともに、誤ったスライド操作を防止することができる。なお、前記突設片は、前記開口の周縁に、且つ前記第２位置から第３位置の範囲にかけて設けられているから、遊技者が目視しなくても操作部がどの位置にあるかを認識でき、より確実に操作部のスライド操作の誤動作を防止することができる。
【発明を実施するための最良の形態】
【００２２】
図１に、本発明を用いたパチンコ機の外観を示す。パチンコ機２は、基体となる本体基部３に、上部扉４及び下部扉５からなる２枚の前面扉６が本体基部３に対して回動自在となるように、図示しないヒンジ部を介して組み付けられる。上部扉４の中央には開口４ａが設けられており、この開口４ａは上部扉４の裏側に取り付けられるガラス板７により遮蔽されている。なお、上部扉４は閉じている状態では、遊技の際に遊技領域１０を流下する遊技球５１（図４参照）や、遊技領域に設けられた構造物は、上記開口４ａを遮蔽するガラス板７を介して視認される。一方、上部扉４が開いている状態では遊技領域１０が露呈され、例えば遊技領域１０に設けられる障害釘の調整や、球詰まりの際のメンテナンス等が行われる。なお、符号８は、本体基部３を遊技場等に固定するための固定枠である。      
【００２３】
図２に示すように、遊技領域１０には、図示しない障害釘、風車及び通過ゲート１１等が設けられる他に、始動入賞口１３、通常入賞口１４、アタッカ１５等の入賞口が設けられている。なお、これらについては公知であるので説明は省略する。また、遊技領域１０の略中央にはセンター役物１６が設けられ、そのほぼ中央には図柄表示装置１７が、その表示部を視認できるように設けられる。なお、遊技領域１０を流下する遊技球５１は、上記障害釘や風車等により弾かれながら流下し、上記入賞口のいずれかへと入賞するか、入賞せずにアウト口１８へと導かれる。なお、符号９は、遊技球５１を遊技領域に向けて打ち出す発射装置である。
【００２４】
図３に示すように、下部扉５には、遊技媒体である遊技球５１を供給する供給皿（受け部）２０、発射装置９における遊技球５１の打ち出し強さを調節する操作ハンドル２１及び球抜出し装置３５（図５参照）を構成する操作部３８ａが設けられている。供給皿２０には、遊技を開始する際に遊技球５１が供給される他に、遊技領域１０を流下する遊技球５１が上記入賞口のいずれかに入賞したことを受けて払い出される賞球としての遊技球５１が受容される。なお、符号２０ｄは払出し口であり、この払出し口２０ｄを介して、賞球としての遊技球５１が払い出される。
【００２５】
この供給皿２０の底面は、その中央に向けて傾斜する２つの受容面（以下では、第１受容面２０ａ，第２受容面２０ｂとする）を備えている。図４に示すように、払出し口２０ｄから払い出された遊技球５１は、第１受容面２０ａに払出された後に、この第１受容面２０ａを供給皿２０の中央に向けて転動する。供給皿２０の中央に向けて転動する遊技球５１は、第１受容面２０ａ上から第２受容面２０ｂ上へと転動し、第２受容面２０ｂにて受容される。なお、符号２０ｃは第１受容面２０ａと、第２受容面２０ｂとの間に設けられた段差であり、この段差２０ｃを設けることで、第２受容面２０ｂにて受容された遊技球５１が第１受容面２０ａへと逆流しないようになっている。また、符号２４は誘導片であり、この誘導片２４によって、第１受容面２０ａを転動する遊技球５１が、後述する誘導通路３０に向けて転動することを防止している。
【００２６】
第２受容面２０ｂには、開口（以下、第１開口とする）２５が設けられており、球抜出し装置３５を構成する第１遮蔽部材３６によって遮蔽されている。この第１開口２５には、第１排出通路５７の一端が連なっており、第１遮蔽部材３６が回動し第１開口２５を開けると、第２受容面２０ｂにて受容されている遊技球５１が、第１開口２５を介して第１排出通路５７へと流下し、外部へと排出される（図１４参照）。
【００２７】
また、この第２受容面２０ｂに連なって誘導通路３０が設けられ、第２受容面２０ｂを上流側の端部として傾斜している。この誘導通路３０の下流側の端部には、球送り装置５５、発射装置９がそれぞれ設けられる。なお、第２受容面２０ｂにて受容された遊技球５１は、誘導通路３０によって球送り装置５５へと案内され、この球送り装置５５によって１球づつ発射装置９に送り出される（図８〜図１０参照）。また、誘導通路３０は、その幅をＴとし、且つ遊技球５１の直径をＳとすると、Ｓ＜Ｔ＜２Ｓとなるように設けられているので、第２受容面２０ｂにて受容された遊技球５１は、略ライン状に並んだ状態で誘導通路３０の内部を転動する。
【００２８】
この誘導通路３０の下流側の端部には開口（以下、第２開口とする）３１が設けられ、球抜出し装置３５を構成する第２遮蔽部材３７によって遮蔽されている。この第２開口３１には、第２排出通路５８が連なって設けられており、第２遮蔽部材３７が回動すると第２開口３１が開き、誘導通路３０の内部にある遊技球５１が第２開口３１から第２排出通路５８へと流下し、外部へと排出される（図１６参照）。これを受けて、第２受容面２０ｂにて受容された遊技球５１が、この誘導通路３０の上流側から、その内部へと案内される。
【００２９】
図５〜図７に示すように、球抜出し装置３５は、供給皿２０の下部に配置され、供給皿２０に受容された遊技球５１、或いは誘導通路内にある遊技球５１を外部に排出するために設けられている。この球抜き機構３５は、第１遮蔽部材３６、第２遮蔽部材３７、操作部材３８、連動部材３９及び保持部材４０から構成される。なお、球抜出し装置３５は、下部扉５に組み付けられていても良いし、供給皿２０の下部に組み付けられていても良いものとする。
【００３０】
第１遮蔽部材３６は、供給皿２０の第２受容面２０ｂに設けられた第１開口２５を遮蔽する部材である。この第１遮蔽部材３６は、第１開口２５よりも面積の大きい略円盤形状の遮蔽部３６ａを有している。また、第１遮蔽部材３６には開口３６ｂを有するボス３６ｃが設けられ、この開口３６ｂに第１遮蔽部材３６の回動中心となるピン（回動軸）４５が挿通される。なお、このピン４５は、供給皿２０の底面に設けられていてもよいし、下部扉５の内壁面に設けられていてもよいものとする。ボス３６ｃの外周には巻きバネ４６が取り付けられ、この巻きバネ４６の一端がボス３６ｃの近傍に設けられた突出片（リブ）３６ｄに当接される。また、巻きバネ４６の他端が受け皿の下面に設けられたピン４７等に当接している。これにより、第１遮蔽部材３６が第１開口２５を遮蔽する方向にバネ付勢される。なお、遮蔽部３６ａの下部には、回動防止片３６ｆが設けられており、この回動防止片３６ｆが後述する保持部材４０に設けられた突出片４０ｃに当接することで、バネ付勢される第１遮蔽部材３６が第１開口２５を遮蔽する位置で保持される。
【００３１】
第２遮蔽部材３７は、誘導通路３０の内部に設けられた第２開口３１を遮蔽する部材である。この第２遮蔽部材３７は、第２開口３１を遮蔽する遮蔽部３７ａを有している。また、第２遮蔽部材３７には、第１遮蔽部材３６と同様に、開口３７ｂを有するボス３７ｃが設けられ、この開口３７ｃに第２遮蔽部材３７の回動中心となるピン（回動軸）４８が挿通される。なお、このピン４８は、供給皿２０の底面に設けられていてもよいし、下部扉５の内壁面に設けられていてもよいものとする。
【００３２】
このボス３７ｃの周囲には、円弧状の突出片３７ｄが設けられている。なお、このボスには、巻きバネ４９が組み付けられ、その一端が突出片３７ｄに設けられた切欠き部３７ｅに挿通され、その他端側がピン５０に当接される。これにより、第２遮蔽部材３７は、その遮蔽部３７ａによる第２開口３１の遮蔽を行う遮蔽位置に向けてバネ付勢される。また、第２遮蔽部材３７には、円筒形状のピン（突起部）３７ｆが設けられており、後述する連動部材３９が移動した際に、その押圧片３９ｂによって押圧される。なお、巻きバネ４９のバネ定数Ｋ２は、巻きバネ４６のバネ定数Ｋ１よりも大きくなるように設定される。
【００３３】
操作部材３８は、上記第１遮蔽部材３６及び第２遮蔽部材３７を回動させ、第１開口２５のみを、或いは第１開口２５及び第２開口３１を開口する部材である。なお、この操作部材３８は、下部扉５の開口５ａから露呈される操作部３８ａを備えており、この操作部３８ａを操作すると、後述する連動部材３９が連動し、第１遮蔽部材３６及び第２遮蔽部材３７が遮蔽位置から退避位置に向けて回動する。なお、この操作部３８ａは、第１開口２５及び第２開口３１が閉じる第１位置（図１１参照）に保持され、第１開口２５を開口する第２位置（図１４参照）、又は第１開口２５及び第２開口３１をそれぞれ開口する第３位置（図１６参照）のいずれかに向けてスライド操作される。
【００３４】
連動部材（アーム部材）３９は、略Ｔ字形状から設けられており、上述した操作部材３８が組み付けられる。この連動部材３９は、押圧部（第１の押圧部）３９ａ及び押圧片（第２の押圧部）３９ｂを備えている。操作部材３８に設けられた操作部３８ａのスライド操作によって、連動部材３９がスライドすると、略方形状の押圧部３９ａの先端が第１遮蔽部材３６に設けられた突出片３６ｄと当接し、突出片３６ｄを押圧し、第１遮蔽部材を回動させる（図１２中Ｅ方向）。また、押圧片３９ｂは、操作部３８ａを第２位置から第３位置へとスライドする途中で、第２遮蔽部材３７に設けられたピン３７ｆと当接する。なお、押圧部３９ｂとピン３７ｆとの隙間Ｌ２と、押圧部３９ａの先端と突出片３６ｄとの隙間Ｌ１とは、Ｌ２＞Ｌ１となるように配置される。なお、隙間Ｌ１は、第１位置から第２位置までの距離Ｍ（図１１参照）よりも短く設定される。また、隙間Ｌ２は第１位置から第２位置までの距離Ｍよりは長く、第１位置から第３位置までの距離Ｎ（図１１参照）よりも短く設定される。このような構成とすることで、操作部３８ａの操作における誤作動を防止することができる。また、連動部材３９の押圧部３９ａは、操作部３８ａの第２位置への移動する過程で当接するようにしたが、これに限定する必要はなく、第１位置において第１遮蔽部材３９の突出片３６ｄと当接していてもよい。
【００３５】
これにより、操作部材３８の操作部３８ａを第１位置から第２位置に向けてスライド操作すると、連動部材３９がスライドし、まず押圧部３９ａと第１遮蔽部材３６の突出片３６ｄとが当接する。さらに操作部３８ａを第２位置に向けてスライド操作すると、押圧部３９ａが第１遮蔽部材３６の突出片３６ｄを押圧するので、第１遮蔽部材３６がピン４５を回動軸として回動する（図１３参照）。そして、第２位置から第３位置に向けて操作部３８ａをスライドさせると、連動部材３９の押圧片３９ｂが第２遮蔽部材３７のピン３７ｆと当接し、ピン３７ｆを押圧する。これにより、操作部３８ａを第３位置までスライドさせると、第２遮蔽部材３７がピン４８を回動軸として回動する（図１５参照）。
【００３６】
保持部材４０は、操作部材３８の操作部３８ａの操作によって連動する連動部材３９のスライド方向を規制する部材である。この保持部材４０の上面には、２つの規制片４０ａ，４０ｂと、突接片４０ｃが設けられる。なお、２つの規制片４０ａ，４０ｂは、それぞれ略直方形状をしており、連動部材３９の幅を開けて設けられている。この２つの規制片４０ａ，４０ｂの間に形成される隙間４０ｅに連動部材３９の押圧部３９ａが挿通されることで、連動部材３９のスライド方向が規制される。突出片４０ｃは、断面が円弧状から設けられている。この突出片４０ｃには、上述した第１遮蔽部材３６の遮蔽部３６ａの下面に設けられた回動防止片３６ｆが当接する。
【００３７】
次に、このような球抜出し装置を本実施形態の作用について説明する。図４に示すように、遊技を行う際に、貸し出された遊技球５１を例えば供給皿２０の第１受容面２０ａから供給すると、第１受容面２０ａに受容された遊技球５１が第１受容面２０ａ上を転動する。第１受容面２０ａは、第２受容面２０ｂに向けて傾斜しているから、遊技球５１は第２受容面２０ｂに向けて第１受容面２０ａ上を転動する。そして、第１受容面２０ａと第２受容面２０ｂとの境界まで転動すると、その境界に設けられた段差２０ｃから第２受容面２０ｂに落下する。
【００３８】
第２受容面２０ｂに遊技球がないときには、第２受容面２０ｂに連なって設けられた誘導通路３０に向けて転動し、誘導通路３０の内部に導かれる。なお、誘導通路３０は、遊技球５１の直径Ｓに対して、Ｓ＜Ｔ＜２Ｓとなる幅Ｔを有するから、誘導通路３０の内部に導かれた遊技球５１は、略ライン状に並んだ状態となる。
【００３９】
図８〜図１０に示すように、供給皿２０に遊技球５１を供給した後に、遊技者が操作ハンドル２１を操作すると、球送り装置５５のソレノイド（図示せず）が作動して、カム５６が図８中Ａ方向に所定の角度回動する。これを受けて、誘導通路３０の下流側にある遊技球５１がカム５６に設けられた受け部５６ａに落下する。その後、ソレノイドへの給電が停止すると、カム５６が図９中Ｂ方向へと回動するので、受け部５６ａにある遊技球５１が発射装置９に向けて（図１０中Ｃ方向に）送り出す。このソレノイドの作動及び作動停止を一定の間隔で行うことで、誘導通路３０の内部の遊技球５１が、１個ずつ球送り装置５５から発射装置９に送り出される。なお、ソレノイドの作動及び作動停止の間に発射装置９による遊技球５１の打ち出しが行われる。
【００４０】
発射装置９によって打ち出された遊技球５１が遊技領域１０を流下していく過程で、通常入賞口１４に入賞すると、図示しない検出センサによって遊技球５１の通常入賞口１４への入賞が検出され、内部に組み込まれた払出し装置が作動する。これにより、賞球として遊技球５１が、払出し口２０ｄから所定個数払い出される。図４に示すように、払出し口２０ｄから払い出された遊技球５１は、第１受容面２０ａ上を転動した後に、第２受容面２０ｂに受容される。
【００４１】
一方、遊技領域１０を流下する遊技球５１が始動入賞口１３に入賞すると、「大当たり」状態へと移行するか否かの移行抽選が行われる。そして、図柄表示装置１７では、移行抽選に基づいて決定された図柄の変動パターンに基づいた図柄の変動表示を行う。そして、変動パターンが終了すると、予め内部で決定された図柄の停止表示を行って、遊技者に移行抽選の結果を報知する。なお、移行抽選の結果が当たりとなる場合には、図柄表示装置１７では例えば「７−７−７」のように同一の図柄が停止表示され、「大当たり」状態へと移行する。
【００４２】
「大当たり」状態へ移行するとアタッカ１５が開口し、遊技領域１０を流下する遊技球５１がアタッカ１５に入賞しやすくなる。このアタッカ１５は所定個数の遊技球５１が入賞するか、所定時間経過した場合に一旦閉じる。一回のアタッカの開口動作時に、アタッカ１５の内部に設けられた図示しないＶゾーン（連続役物作動口）に遊技球５１が入賞すると、アタッカ１５が再び開口するようになっている。そして、アタッカ１５による開口動作が、所定回数に到達した時点で「大当たり」状態が終了する。これにより、「大当たり」状態では、賞球としての遊技球５１を大量に得ることが可能となる。これにより、図１１に示すように、賞球として払い出された遊技球５１によって供給皿２０は一杯になるので、遊技者は操作部３８ａを第１位置から第２位置に向けて（図１２中Ｄ方向）にスライドさせる。
【００４３】
図１２に示すように、操作部３８ａを基準位置から第１位置に向けてスライドさせると、操作部材３８とともに連動部材３９が図中Ｄ方向にスライドする。このスライドにより、連動部材３９の押圧部３９ａの先端が第１遮蔽部材３６の突出片３６ｄと当接する。連動部材３９の押圧部３９ａの先端と第１遮蔽部材３６の突出片３６ｄとの当接は、操作部３８ａが第２位置に到達する前に行われるから、第２位置に向けてスライドさせる操作部３８ａに連動する連動部材３９のスライドによって、その押圧部３９ａによる第１遮蔽部材３６の突出片３６ｄの押圧が行われる。これにより、第１遮蔽部材３６が巻きバネ４６の付勢に抗して図中Ｅ方向に回動する。
【００４４】
図１３及び図１４に示すように、第１遮蔽部材３６が回動して第１開口２５が開口すると、第２受容面２０ｂにて受容された遊技球５１が第１開口２５から第１排出通路５７に流下する。そして、第１排出通路５７の下流に設けられた排出口５８から、例えば外部の貯留箱（図示せず）に排出される。第２受容面２０ｂにて受容された遊技球５１が第１開口２５を介して第１排出通路５７から排出されることによって、第１受容面２０ａにて受容されている遊技球５１が第２受容面２０ｂへと転動していく。そして、供給皿２０に受容された遊技球５１の量が遊技者の意図する量になった場合に、遊技者は操作部材３８の操作部３８から手を離す。操作部３８から手を離すと、第１遮蔽部材３６に組み付けらた巻きバネ４６の付勢によって、第１遮蔽部材３６が図１３中Ｆ方向回動する。第１遮蔽部材３６の図１３中Ｆ方向への回動によって、連動部材３９の押圧部３９ａが突出片３６ｄに押圧され、図１３中Ｇ方向へとスライドする。これに合わせて、操作部材３８の操作部３８ａが第２位置から第１位置へと移動する。これにより、第１遮蔽部材３６の遮蔽部３６ａが第１開口２５を遮蔽するので、供給皿２０からの一時的な遊技球５１の抜出しが終了する。
【００４５】
なお、このようなパチンコ機２で、上記「大当たり」状態に連続して移行する場合も同様に、操作部３８ａを操作して遊技球５１の抜出しを行いながら、遊技を行う。これにより、操作部３８ａを第２位置までスライドさせて遊技球５１の抜き出しを行いながら、遊技を行うことが可能となる。
【００４６】
また、供給皿２０に遊技球５１が受容された状態で、パチンコ機２での遊技を終了させる場合には、遊技者は第１位置にある操作部３８ａを、図１４に示す第３位置まで（図中Ｄ方向に）スライドさせる。なお、第１位置と第３位置との間に第２位置があるので、操作部３８ａを第３位置までスライドさせる途中で、第２位置を通過することになる。この際、上述したように、第２位置までスライドさせると第１遮蔽部材３６が回動し第１開口２５が開口するので、供給皿２０の第２受容面２０ｂにて受容された遊技球５１が第１開口２５を介して第１排出通路５７へと流下していく。
【００４７】
遊技者は、さらに操作部３８ａを第２位置から第３位置へとスライドさせる。なお、第２位置から第３位置に操作部３８ａをスライドさせる途中で、連動部材３９の押圧片３９ｂが第２遮蔽部材３７に設けられたピン３７ｆと当接する。操作部３８ａを第３位置まで移動させると、連動部材３９の押圧片３９ｂが第３遮蔽部材３７のピン３７ｆを押圧するので、第２遮蔽部材３７が図１５中Ｉ方向に回動する。これにより、第２開口３１が開口する。
【００４８】
図１５及び図１６に示すように、第２遮蔽部材３７の回動により第２開口３１が開口すると、誘導通路３０の内部にある遊技球５１が第２開口３１へと落下し、第２排出通路５８へと落下する。そして、第２排出通路５８を転動する遊技球５１は、第１排出経路５７へと導かれた後に、排出口５９から外部へと排出される。なお、遊技者は、供給皿２０に受容された遊技球５１が全て第１及び第２排出通路５７，５８から払い出されるまで、操作部３８ａを第３位置に保持する。遊技球５１が全て排出されたことを受けて、遊技者が操作部３８ａから手を離すと、巻きバネ４６の付勢力によって第１遮蔽部材３６が図１５中Ｆ方向に回動する。同様に、巻きバネ４９の付勢力によって第２遮蔽部材３７が図１５中Ｈ方向に回動する。この際、第１遮蔽部材３６の突出片３６ｄによって連動部材３９の押圧部３９ａが押圧され、また、第２遮蔽部材３７のピン３７ｆによって連動部材３９の押圧片３９ｂが押圧されることにより、連動部材３９が図１５中Ｇ方向へとスライドする。これにより、操作部材３８の操作部３８ａが第３位置から第１位置へとスライドする。
【００４９】
なお、操作部３８ａを第１位置から第３位置までスライドさせる場合には、第１位置から第２位置までは、第１遮蔽部材３６を遮蔽位置に付勢する巻きバネ４６の付勢力のみなので軽いが、第１位置から第２位置までのスライドは、第１遮蔽部材３６を図１５中Ｆ方向に付勢する巻きバネ４６の付勢力の他に、第２遮蔽部材３７を図１５中Ｈ方向に向けて付勢する巻きバネ４９の付勢力がかかるので重くなる。これにより、操作時の力のかかり具合によって、遊技球５１の抜き出し処理の形態が異なることが遊技者に分かるから、例えば供給皿２０からの遊技球５１の抜き出し処理を行いたい場合に、誤って誘導通路３０の内部にある遊技球を抜き出すことがなくなる。また、抜き出し処理を行う際に操作される部材が１つであるから、部品を少なくするとともに、組み立て時の作業工数を減らすことができる。
【００５０】
本実施形態では、横方向にスライドする操作部の例を取り上げたが、これに限定する必要はなく、縦方向にスライドする操作部を設けてもよい。また、押圧ボタンの押圧量によって球抜き処理を行えるようにしてもよい。この場合、第１開口のみを開口させる第１の押し込み量と、第１開口及び第２開口を開口させる第２の押し込み量（第１の押し込み量＜第２の押し込み量）とを設けるようにする。また、この他に、ジョグダイヤルや開放レバー等を設け、これらの回転量によって、第１開口のみを開口させる、又は第１及び第２開口のそれぞれを開口させるようにすることも可能である。
【００５１】
また、本実施形態の球抜出し装置の構成は一例であり、供給皿や、下部扉の形状等を考慮して、ソレノイド及びモータを用いたリンク機構や、モータにより駆動するギヤ機構等の電気的な機構を用いた球抜出し装置等を設けることも可能である。
【００５２】
本実施形態では、巻きバネ４９のバネ定数を巻きバネ４６のバネ定数よりも大きくなるようにし、操作部を第２位置から第３位置へスライドさせる際に重くすることで、第１位置から第２位置へとスライドさせる際に誤って第３位置までスライドさせる、所謂誤操作を防止するようにしたが、この他に、操作部のスライド操作時に、第２位置に位置したことを認識させるようにしてもよい。
【００５３】
例えば、図１７に示すように、供給皿７０及び操作ハンドル７１が設けられた下部扉７２の、操作部７３を露呈する開口７４の第２位置から第３位置の範囲で、開口７４に連なったＵ字状の突設片７５を設ける。この突設片７５は、操作部７３の周壁面の一部を遮蔽する高さを有している。なお、図示はしないが、この供給皿には、遊技の際に用いられる操作ボタン、又は音量調節用のボタン、或いは光量調節用ボタンを設けてもよい。また、装飾用のレンズカバーを設け、遊技中の演出において、内部に配置されたＬＥＤ等の照明装置によって、このレンズカバーを照明してもよい。
【００５４】
図１８〜図２０に示すように、遊技を行っている際に、供給皿７０が払い出された遊技球で一杯になり、一時的に払い出された遊技球を排出する場合には、例えば親指で操作部７３の側壁面を図中Ｍ方向に押圧し、操作部７３を第１位置から第２位置へとスライドさせる。押圧される操作部７３が第２位置までスライドされる（図１９参照）と、操作部７３の上面及び底面の一部が、開口７４に連なって設けられた突設片７５によって被覆される。また、操作部７３を操作する親指が、上記突設片７５の端部７５ａ，７５ｂに引っ掛かる。これにより、操作部７３が第２位置までスライドされたことを遊技者が認識することができる。
【００５５】
なお、遊技を終了し、供給皿に受容された遊技球を排出する場合には、操作部７３を第１位置から第３位置までスライドさせる。このとき、遊技者は、第１位置から第２位置までは上記操作で行う。その後、例えば親指で操作する場合には、親指を操作部７３の側壁面から前面にずらし（図２０参照）、操作部７３を押圧しながら第２位置から第３位置までスライドさせる。そして、操作部をスライドさせると、突設片の前面７５ｃに親指が摺接するので、第２位置から第３位置に向けてスライドさせていることが遊技者が認識することができる。第３位置まで操作部７３をスライドさせると、供給皿７０及び誘導通路にある遊技球が全て排出される。
【００５６】
操作部７３を第１位置から第３位置まで操作部７３をスライドさせる場合、初めから操作部７３の前面を押圧しながらスライドさせることも可能である。この場合、操作部７３を第２位置からさらにスライドさせると、親指に突設片７５の前面７５ｃが摺接するので、遊技者に対して操作部の位置を認識させることができる。
【００５７】
なお、上記突設片は、第２位置に操作部が位置したことを遊技者が認識できればよく、開口の周縁のうち、第２位置に対応する箇所に突設片を設けるようにしてもよい。また、上記突設片は、本実施形態で説明した払出し装置と組み合わせることで、より確実に遊技者の誤操作を防止することが可能となる。
【図面の簡単な説明】
【００５８】
【図１】本発明を実施したパチンコ機の外観を示す斜視図である。
【図２】前面扉を開けたときの状態を示す斜視図である。
【図３】パチンコ機の供給皿の近傍を示す斜視図である。
【図４】供給皿を示す正面図である。
【図５】球抜き出し装置の構成を分解して示す斜視図である。
【図６】球抜出し装置の一部を分解して示す斜視図である。
【図７】球抜出し装置の一部を分解して示す斜視図である。
【図８】カムが基準位置にある場合の球送り装置及びその近傍の状態を示す断面図である。
【図９】カムが球受け位置に回動した場合の球送り装置及びその近傍の状態を示す断面図である。
【図１０】カムが基準位置に回動して、受容した遊技球を発射装置に送り出す場合の球送り装置及びその近傍の状態を示す
【図１１】操作部が基準位置にある場合の供給皿、誘導通路、第１及び第２排出通路の状態を示す断面図である。
【図１２】操作部が基準位置にある場合の球抜出し装置を示す正面図である。
【図１３】操作部が第１位置にある場合の球抜出し装置を示す正面図である。
【図１４】操作部が第１位置にある場合の供給皿、誘導通路、第１及び第２排出通路の状態を示す断面図である。
【図１５】操作部が第２位置にある場合の球抜出し装置を示す正面図である。
【図１６】操作部が第２位置にある場合の供給皿、誘導通路、第１及び第２排出通路の状態を示す断面図である。
【図１７】開口の周縁の一部に突設片を設けた場合の実施形態を示す斜視図である。
【図１８】第１位置にある操作部を示す斜視図である。
【図１９】第１位置から第２位置までスライドさせた操作部を示す斜視図である。
【図２０】第３位置までスライドさせた操作部を示す斜視図である。
【符号の説明】
【００５９】
２    パチンコ機
５    下部扉
９    発射装置
２０    供給皿
２０ａ    第１受容面
２０ｂ    第２受容面
２５    第１開口
３０    誘導通路
３１    第１開口
３５    球抜出し装置
３６    第１遮蔽部材
３６ｄ    突出片
３７    第２遮蔽部材
３７ｆ    ピン
３８    操作部材
３９    連動部材
３９ａ    押圧部
３９ｂ    押圧片
５１    遊技球
５７    第１排出通路
５８    第２排出通路
【図１】
2005034591.tif 000003
【図２】
2005034591.tif 000004
【図３】
2005034591.tif 000005
【図４】
2005034591.tif 000006
【図５】
2005034591.tif 000007
【図６】
2005034591.tif 000008
【図７】
2005034591.tif 000009
【図８】
2005034591.tif 000010
【図９】
2005034591.tif 000011
【図１０】
2005034591.tif 000012
【図１１】
2005034591.tif 000013
【図１２】
2005034591.tif 000014
【図１３】
2005034591.tif 000015
【図１４】
2005034591.tif 000016
【図１５】
2005034591.tif 000017
【図１６】
2005034591.tif 000018
【図１７】
2005034591.tif 000019
【図１８】
2005034591.tif 000020
【図１９】
2005034591.tif 000021
【図２０】
2005034591.tif 000022